(57)【要約】      （修正有）【課題】マークが付与された光学フィルムのロールにおける巻ずれ等の不良を低減できるロールを提供する。【解決手段】ロール１００Ａは、コアに巻回された光学フィルム１００のロールであって、光学フィルム１００に巻回方向に沿って３つ以上のマーク７０が付与され、マーク７０間の距離Ｄ１〜Ｄ４のそれぞれが、隣接する距離と異なっている。【選択図】図２
0003230067.tif 000002
【実用新案登録請求の範囲】
【請求項１】
コアに巻回された光学フィルムのロールであって、前記光学フィルムに巻回方向に沿って３つ以上のマークが付与され、マーク間の距離のそれぞれが、隣接する前記距離と異なっている、ロール。
【請求項２】
前記距離のそれぞれが、隣接する前記距離に対して１ｍｍ以上異なる、請求項１に記載のロール。
【請求項３】
前記ロールの軸方向において前記マークが付与された部分の前記ロールの最大直径をＲＭ、前記ロールの最小直径をＲＣとしたときに、次式を満たす、請求項１又は２に記載のロール。
１≦ＲＭ／ＲＣ≦１．０５
【請求項４】
前記光学フィルムの巻回方向の長さは１００ｍ以上であり、前記マークは１００個以上設けられた、請求項１〜３のいずれか一項に記載のロール。
【考案の詳細な説明】
【技術分野】
【０００１】
本考案は、光学フィルムのロールに関する。
【背景技術】
【０００２】
光学フィルムの原反として、コアに巻回された光学フィルムのロールが知られている。
【０００３】
このような光学フィルムのロールにおいては、巻回方向における位置の基準を与えるため、光学フィルムに巻回方向に一定間隔でレーザービーム等により多数のマークを付与されている場合がある。
【先行技術文献】
【特許文献】
【０００４】
【特許文献１】特表２０１９−５１２３９３号公報
【特許文献２】特許５３４７４０６号公報
【特許文献３】特許５９２５６０９号公報
【考案の概要】
【考案が解決しようとする課題】
【０００５】
しかしながら、このようなマークが付与された光学フィルムのロールにおいて、巻ずれ等が生じやすいことが判明した。
【０００６】
本発明は上記課題に鑑みてなされたものであり、マークが付与された光学フィルムのロールにおける巻ずれ等の不良を低減できるロールを提供することを目的とする。
【課題を解決するための手段】
【０００７】
本考案にかかるロールは、コアに巻回された光学フィルムのロールであって、前記光学フィルムに巻回方向に沿って３つ以上のマークが付与され、マーク間の距離のそれぞれが、隣接する前記距離と異なっている。
【０００８】
ここで、前記距離のそれぞれが、隣接する前記距離に対して１ｍｍ以上異なることができる。
【０００９】
また、前記ロールの軸方向において前記マークが付与された部分の前記ロールの最大直径をＲＭ、前記ロールの最小直径をＲＣとしたときに、次式を満たすことができる。
１≦ＲＭ／ＲＣ≦１．０５
【００１０】
また、前記光学フィルムの巻回方向の長さは１００ｍ以上であり、前記マークは１００個以上設けられていることができる。
【考案の効果】
【００１１】
本考案によれば、マークが付与された光学フィルムのロールにおける巻ずれ等の不良を低減できるロールが提供される。
【図面の簡単な説明】
【００１２】
【図１】図１は、本考案にかかる光学フィルムのロールの巻回軸に垂直な断面図である。
【図２】図２は、図１のロールから光学フィルムの一部を引き出した状態を示す斜視図である。
【図３】図３は、図１の光学フィルムのロールの上面図である。
【考案を実施するための形態】
【００１３】
図面を参照して、本考案の実施形態にかかる光学フィルムのロールについて説明する。
【００１４】
図１は、本考案の一実施形態にかかる光学フィルムのロールの断面を示す模式図である。この光学フィルム１００のロール１００Ａは、コア１０の周面に巻回されている。
【００１５】
コア１０は円柱または円筒形状を有する。コア１０の材料は特に限定されず、例えば、樹脂、紙等であることができる。コア１０の直径は例えば、５０〜４００ｍｍとすることができる。
【００１６】
コア１０の軸方向の長さは５００〜２，０００ｍｍであることができる。図２及び図３に示すように、通常、コア１０の軸方向の長さは光学フィルム１００の幅よりも大きく、コア１０の軸方向の両端は光学フィルム１００に対して突出している。
【００１７】
図２に示すように、光学フィルム１００は長尺形状を有し、コア１０に巻回されている。
【００１８】
光学フィルム１００の長手方向（巻回方向）の長さに限定はないが、例えば、１００ｍ以上であることができる。
【００１９】
光学フィルム１００の幅（コアの軸方向の長さ）にも特に限定はなく、例えば、５００〜２，０００ｍとすることができる。
【００２０】
光学フィルム１００の厚みに特に限定はないが、例えば、２０μｍ〜５００μｍ、好ましくは５０μｍ〜５００μｍ、より好ましくは５０μｍ〜２００μｍとすることができる。
【００２１】
光学フィルム１００は、単層フィルムであっても、積層フィルムであっても良い。
【００２２】
単層フィルムの例は、樹脂フィルムである。樹脂の例は、セルロース系樹脂（トリアセチルセルロース等）、ポリオレフィン系樹脂（ポリプロピレン系樹脂等）、環状オレフィン系樹脂（ノルボルネン系樹脂等）、アクリル系樹脂（ポリメチルメタクリレート系樹脂等）、ポリエステル系樹脂（ポリエチレンテレフタレート系樹脂等）、及び、ポリイミド系樹脂（ポリイミド、ポリアミドイミド）等である。これらの単層フィルムは、保護フィルム、基材フィルム、位相差フィルム、ウィンドウフィルム等であることができる。
【００２３】
積層フィルムは、複数の層を有する光学フィルムである。積層フィルムの例は、偏光フィルム、円偏光板、及び、タッチセンサである。
【００２４】
例えば、偏光フィルムは、保護層（基材層）と、偏光子とを少なくとも備える。
【００２５】
円偏光板は、例えば、偏光子と、位相差（１／４λ）層とを有する。
【００２６】
タッチセンサは、透明基材層と、感知パターン層と、センシングラインとを含むことができる。
【００２７】
積層フィルムは、更に、粘着剤層、接着剤層を備えることができる。
【００２８】
粘着剤は、粘着性を有して、そのまま室温で他の部材と貼合可能な材料である。粘着剤の例は、アクリル系粘着剤、シリコーン系粘着剤、ウレタン系粘着剤である。粘着剤は、硬化前に粘着性を有して室温で他の部材と貼合可能であり、さらに、後工程で、熱や光などの方法により架橋して硬化すると接着強度が向上する粘着剤層であってもよい。かかる粘着剤の例は、アクリル系粘接着剤である。
【００２９】
接着剤は、反応により硬化して２つの層を固定する材料である。接着剤の例は、アクリル系接着剤、シリコーン系接着剤である。
【００３０】
光学フィルムは、さらに、粘着剤層に貼り付けられて粘着剤層を保護し、当該粘着層を他の部材と接着する際に剥がされる剥離層、光学フィルムを構成する層の上に貼り付けられて当該層を輸送時等の傷から保護するプロテクト層などを有することもできる。
【００３１】
保護フィルム１４の例は、樹脂フィルムである。樹脂の例は、上記した樹脂フィルムで例示した樹脂に加え、ポリスチレン、ポリエチレンテレフタラート等である。
【００３２】
図１及び図２に示すように、光学フィルム１００は、長手方向すなわち巻回方向に沿って多数のマーク７０を有している。マーク７０は、図２のように後工程でロールから引き出された状態で読み取られることを考慮して、幅方向における任意の同一の位置（以下、幅方向マーク位置と呼ぶことがある）に設けられている。幅方向マーク位置の例は、幅方向のいずれか一端部、又は、両端部である。
【００３３】
マーク７０の付与方法に限定はない。マーク７０の例は、レーザービームを照射して光学フィルム１００の物性（光吸収率、光反射率等）を変化させることにより得られたマーク、印刷すなわちインクの付与による得られるマーク、シールなど他の粘着剤付きフィルムを貼り付けることにより得られるマークでもよい。
【００３４】
マーク７０の形態にも特に限定はないが、１次元バーコード、ＱＲコード（登録商標）などの２次元コード、数字や記号をそのまま有するものでもよい。
【００３５】
本実施形態において、マーク７０の間の各距離Ｄのそれぞれが、隣接するマーク７０間の距離Ｄと異なっている。例えば、図２において、距離Ｄ１は隣接する距離Ｄ２と異なり、距離Ｄ２は、隣接する距離Ｄ１及びＤ３と異なり、距離Ｄ３は、隣接する距離Ｄ２及びＤ４と異なる。
【００３６】
マーク間の距離Ｄは、それぞれ、隣接するマーク間の距離と通常１ｍｍ以上異なり、好ましくは３ｍｍ以上異なり、より好ましくは５ｍｍ以上異なる。マーク間の距離Ｄと、隣接するマーク間の距離との相違は、通常５００ｍｍ以下、好ましくは、１００ｍｍ以下の範囲である。
【００３７】
また、各距離Ｄが隣接する距離と異なる上に、さらに、巻回方向に沿って距離Ｄが周期的に増減してもよい。例えば、マーク間の距離をＤｎとし、ｎを長手方向すなわち巻回方向に沿って順に１、２、３、・・・とした場合に、Ｄ１、Ｄ２、…Ｄｉの順に距離が増え、Ｄｉ＋１でＤ１と同じ値まで距離が減り、また、Ｄｉ＋２、Ｄｉ＋３、…Ｄ２ｉまで順に距離が増える態様とすることができる。ｉは、例えば、３〜３０、好ましくは３〜５０とすることができる。
【００３８】
マーク７０間の距離（間隔）Ｄは、例えば、５０〜２，０００ｍｍ、好ましくは５０〜１，０００ｍｍの範囲とすることができる。
【００３９】
マーク７０の数は３つ以上であれば特に限定はないが、例えば、１００個以上とすることができる。
【００４０】
マーク７０は、ロール１００Ａの幅方向端１００Ｆから近接した領域、例えば、幅方向端１００Ｆより１〜５０ｍｍ以内の距離に付与することが好ましい。なお、各マーク７０の幅方向端１００Ｆからの距離は互いに同じであってもよいし、隣接するマークと異なっていてもよい。
【００４１】
（作用）
本考案者らが検討したところ、マーク７０間の距離Ｄが一定であると、ロールの幅方向マーク位置において、特定の半径方向においてマーク７０が重なりやすくなる。光学フィルム１００においてマーク７０のある部分は、他の部分とは、厚み、弾性等の特性が異なる。したがって、ロール１００Ａの幅方向マーク位置において、特定の半径方向においてマーク７０が重なると、ロールの当該特定の半径方向の外径が大幅に増大して、巻ずれ、フィルムの歪み、凹凸形成、トンネリング、傷（打痕）などの要因となる。
【００４２】
例えば、図３に示すように、ロール１００Ａの幅方向端１００Ｆの付近に各マーク７０を付与した場合、該幅方向端１００Ｆの付近である幅方向端部１００Ｅは、ロール１００Ａの幅方向における他の箇所より、半径方向の外径が大きくなる傾向がある。
【００４３】
しかしながら、本実施形態によれば、マーク７０間の距離Ｄが一定ではないので、ロールの幅方向マーク位置において、特定の半径方向においてマーク７０が重なることが抑制される。従って、幅方向マーク位置において特定の半径方向への大幅な外径の増大が抑制され、ロールに巻ずれ等の不具合が生じにくくなる。
【００４４】
本実施形態のロールにおいて、幅方向マーク位置におけるロール１００Ａの最大直径をＲＭ、ロール１００Ａの最小直径をＲＣとしたときに、次式を満たすことができる。ＲＭ／ＲＣは、１．０２以下であってもよい。
１≦ＲＭ／ＲＣ≦１．０５
【００４５】
このようなロールは、巻ずれ等の不具合が低減されたものとなりやすい。
【００４６】
なお、このようにマーク間の距離Ｄが一定でないロールから得られた、切り出し送り長が一定の枚葉フィルムを多数重ねた場合、やはり、マークの位置が特定の場所のみで選択的に重ならないため、積層体の厚みのムラも抑制される。
【符号の説明】
【００４７】
１００Ａ…ロール、１００…光学フィルム、１０…コア、７０…マーク。
【図１】
0003230067.tif 000003
【図２】
0003230067.tif 000004
【図３】
0003230067.tif 000005
【手続補正書】
【提出日】令和2年11月17日(2020.11.17)
【手続補正１】
【補正対象書類名】明細書
【補正対象項目名】００１９
【補正方法】変更
【補正の内容】
【００１９】
光学フィルム１００の幅（コアの軸方向の長さ）にも特に限定はなく、例えば、５００〜２，０００ｍｍとすることができる。